(57)【要約】  【課題】  カラーメーターを用いることなく、簡易な操作でプリンタ装置のデバイスプロファイルが得られ、印刷の色彩と、本来の色彩とを一致させるプリンタ装置を提供する。  【解決手段】  コンピュータシステムからカラーブロック印刷信号をプリンタ装置に出力してプリントアウトし、ＩＣＣデバイスプロファイルを具えるデジタルカメラで該カラーブロックグラフを撮影して画像色彩信号を出力し、該デジタルカメラのＩＣＣデバイスプロファイルに基づき、該画像色彩信号をＣＩＥ  ＸＹＺ色度信号に転換して該ＣＩＥ  ＸＹＺ色度信号と該カラーブロック印刷信号とを計算し、該プリンタ装置のＩＣＣデバイスプロファイルを得て、更に該プリンタ装置のＩＣＣデバイスプロファイルをＩＣＣと互換性を有する画像ソフトに組み込み、カラーマネジメントと色彩の校正処理を行う。【選択図】  図１
2004159332.tif 000002
【特許請求の範囲】
【請求項１】
コンピュータシステムから、カラーブロック印刷信号をプリンタ装置に出力して、カラーブロックグラフをプリントアウトするステップと、
ＩＣＣデバイスプロファイルを具えるデジタルカメラを利用して、該カラーブロックグラフを撮影し、画像色彩信号を出力するステップと、
コンピュータシステムによって、該デジタルカメラのＩＣＣデバイスプロファイルに基づき、該画像色彩信号をＣＩＥ  ＸＹＺ色度信号に転換するステップと、
コンピュータシステムによって、該ＣＩＥ  ＸＹＺ色度信号と、該カラーブロック印刷信号とを計算し、該プリンタ装置のＩＣＣデバイスプロファイルを得て、更に該プリンタ装置のＩＣＣデバイスプロファイルをＩＣＣと互換性を有する画像ソフトに組み込み、カラーマネジメントと色彩の校正処理を行うステップと、を含むことを特徴とするプリンタ装置の出力画像の色彩管理方法。
【請求項２】
前記カラーブロック印刷信号は、ＲＧＢモードの信号か、もしくはＣＭＹＫモードの信号か、もしくはその他印刷機特有の信号を含むことを特徴とする請求項１に記載のプリンタ装置の出力画像の色彩管理方法。
【請求項３】
前記デジタルカメラを利用して撮影するステップにおいて、該カラーブロックグラフに光線を均一に照射して撮影することを特徴とする請求項１に記載のプリンタ装置の出力画像の色彩管理方法。
【請求項４】
前記カラーブロック印刷信号が予め設定された所定値であって、該プリンタ装置に入力して所定のカラーブロックグラフをプリントアウトすることを特徴とする請求項１に記載のプリンタ装置の出力画像の色彩管理方法。
【請求項５】
前記カラーマネジメントと色彩の校正処理を行うステップにおいて、ＩＣＣデバイスプロファイルを具える入力装置を利用して被写体の画像を得てＩＣＣデバイスプロファイルに入力し、且つ該入力装置のＩＣＣデバイスプロファイルをＩＣＣ色彩管理システムに組み込み、該ＩＣＣ色彩管理システム内において、該入力装置のＩＣＣデバイスプロファイルによって該被写体の画像をＣＩＥ  ＸＹＺ色度信号に転換し、更に該プリンタ装置のＩＣＣデバイスプロファイルによって該ＣＩＥ  ＸＹＺ色度信号を印刷信号に転換して該プリンタ装置に出力し、該印刷信号に基づいて画像をプリントアウトすることを特徴とする請求項１に記載のプリンタ装置の出力画像の色彩管理方法。
【請求項６】
該入力装置が、デジタルカメラか、もしくはスキャナ装置から選択されることを特徴とする請求項１に記載のプリンタ装置の出力画像の色彩管理方法。
【請求項７】
コンピュータシステムから、カラーブロック印刷信号をプリンタ装置に出力して、カラーブロックグラフをプリントアウトするステップと、
デジタルカメラを利用して、該カラーブロックグラフを撮影し、画像色彩信号を出力するステップと、
コンピュータシステムによって、該画像色彩信号と、該カラーブロック印刷信号とを計算し、該デジタルカメラに入力される色彩信号と、該プリンタ装置に出力する色彩信号との相対関係を得て、更に該コンピュータシステムの計算によって得られる相対関係に基づき、色彩相対関係プロファイルを生成し、該色彩相対関係プロファイルを色彩管理ソフトに組み込み、カラーマネジメントと色彩の校正処理を行うステップと、を含むことを特徴とするプリンタ装置の出力画像の色彩管理方法。
【請求項８】
前記カラーブロック印刷信号は、ＲＧＢモードの信号か、もしくはＣＭＹＫモードの信号か、もしくはその他印刷機特有の信号を含むことを特徴とする請求項７に記載のプリンタ装置の出力画像の色彩管理方法。
【請求項９】
前記デジタルカメラを利用して撮影するステップにおいて、該カラーブロックグラフに光線を均一に照射して撮影することを特徴とする請求項７に記載のプリンタ装置の出力画像の色彩管理方法。
【請求項１０】
前記カラーブロック印刷信号が予め設定された所定値であって、該プリンタ装置に入力して所定のカラーブロックグラフをプリントアウトすることを特徴とする請求項７に記載のプリンタ装置の出力画像の色彩管理方法。
【請求項１１】
前記カラーマネジメントと色彩の校正処理を行うステップにおいて、該色彩相対関係プロファイルを利用して該デジタルカメラの撮影する画像を得て、該画像を印刷信号に転換して該プリンタ装置に出力し、該印刷信号に基づいて画像をプリントアウトすることを特徴とする請求項７に記載のプリンタ装置の出力画像の色彩管理方法。
【発明の詳細な説明】
【技術分野】
【０００１】
本発明は、デジタルカラーマネジメントに関し、特にデジタルカメラで撮影した画像をプリンタ出力し、プリンタ装置でプリントアウトした場合、印刷物の色彩が本来の色彩と一致するように調整するプリンタ装置の出力画像の色彩管理方法に関する。
【背景技術】
【０００２】
デジタルカメラやプリンタ装置の普及に伴い、画像の色彩に対するユーザの要求は、次第に厳格になってきている。画像をデジタルカメラに入力し、プリンタ出力した場合、画像の色彩が被写体の実際の色彩に比して若干異なる。また、デジタルカメラによって撮影した画像は、入力、もしくは出力する装置の違いによって、異なる色彩表示装置に異なる色彩が表現される場合がある。よって、如何なるメーカー、如何なる仕様のプリンタ装置、もしくは印刷機であろうと、プリントアウトされた画像の色彩が被写体の本来の色彩に近いものになるようにすることは、目下大きな課題となっている。
【０００３】
国際カラーコンソーシアム（International  Color  Consurtium  以下ＩＣＣと称する）は、世界的に有名なメーカーが共同で設立した組織である。この組織は、現在使用されている画像プロファイルのフォーマットを統合し、係る基準に基づきデバイスプロファイル（Device  Profile）を定義している。すなわち、スキャナ、デジタルカメラ、モニタなどのディスプレイ、プリンタ装置、もしくは印刷機などの入力装置について、所定の基準で校正を行い、色彩の特性をＩＣＣプロファイル（ICC  Profile）とし、異なるデバイスに対して該ＩＣＣプロファイルを基本として色彩の転換を行い、ユーザの希望する色彩が表現できるように提供している。
【０００４】
従来のプリンタ装置のデバイスプロファイルを作成する場合は、エックスライト株式会社などの販売するカラーメーター（Colorimeter）製品を利用してはじめて正確なデバイスプロファイルのデータが得られる。但し、これらカラーメーターは価格が高く、操作方法も非常に複雑である。しかもこれらカラーメーターはそれぞれのカラーパッチストリップ（Color  Patch  Strip）を測定してはじめて必要とするデバイスプロファイルのデータが得られる。これは一般の消費者にとって経済的に負担できるものではなく、また操作できるものではない。
【発明の開示】
【発明が解決しようとする課題】
【０００５】
この発明は、価格が高く、操作が複雑なカラーメーターを使用することなく、簡易な操作で印刷装置のデバイスプロファイルを作成することができる印刷装置の色彩調整方法を提供することを課題とする。
【課題を解決するための手段】
【０００６】
そこで本発明者は、従来の技術に見られる欠点に鑑み、鋭意研究を重ねた結果、コンピュータシステムから、カラーブロック印刷信号をプリンタ装置に出力して、カラーブロックグラフをプリントアウトするステップと、
ＩＣＣデバイスプロファイルを具えるデジタルカメラを利用して、該カラーブロックグラフを撮影し、画像色彩信号を出力するステップと、コンピュータシステムによって、該デジタルカメラのＩＣＣデバイスプロファイルに基づき、該画像色彩信号をＣＩＥ  ＸＹＺ色度信号に転換するステップと、コンピュータシステムによって、該ＣＩＥ  ＸＹＺ色度信号と、該カラーブロック印刷信号とを計算し、該プリンタ装置のＩＣＣデバイスプロファイルを得て、更に該プリンタ装置のＩＣＣデバイスプロファイルをＩＣＣと互換性を有する画像ソフトに組み込み、カラーマネジメントと色彩の校正処理を行うステップと、を含むプリンタ装置の出力画像の色彩管理方法によって本発明の課題を解決できる点に着眼し、かかる知見に基づき本発明を完成させた。
【０００７】
以下、この発明について具体的に説明する。
請求項１に記載するプリンタ装置の出力画像の色彩管理方法は、コンピュータシステムから、カラーブロック印刷信号をプリンタ装置に出力して、カラーブロックグラフをプリントアウトするステップと、
ＩＣＣデバイスプロファイルを具えるデジタルカメラを利用して、該カラーブロックグラフを撮影し、画像色彩信号を出力するステップと、
コンピュータシステムによって、該デジタルカメラのＩＣＣデバイスプロファイルに基づき、該画像色彩信号をＣＩＥ  ＸＹＺ色度信号に転換するステップと、
コンピュータシステムによって、該ＣＩＥ  ＸＹＺ色度信号と、該カラーブロック印刷信号とを計算し、該プリンタ装置のＩＣＣデバイスプロファイルを得て、更に該プリンタ装置のＩＣＣデバイスプロファイルをＩＣＣと互換性を有する画像ソフトに組み込み、カラーマネジメントと色彩の校正処理を行うステップと、を含む。
【０００８】
請求項２に記載するプリンタ装置の出力画像の色彩管理方法は、請求項１におけるカラーブロック印刷信号が、ＲＧＢモードの信号か、もしくはＣＭＹＫモードの信号か、もしくはその他印刷機特有の信号を含む。
【０００９】
請求項３に記載するプリンタ装置の出力画像の色彩管理方法は、請求項１におけるデジタルカメラを利用して撮影するステップにおいて、該カラーブロックグラフに光線を均一に照射して撮影する。
【００１０】
請求項４に記載するプリンタ装置の出力画像の色彩管理方法は、請求項１におけるカラーブロック印刷信号が予め設定された所定値であって、該プリンタ装置に入力して所定のカラーブロックグラフをプリントアウトする。
【００１１】
請求項５に記載するプリンタ装置の出力画像の色彩管理方法は、請求項１におけるカラーマネジメントと色彩の校正処理を行うステップにおいて、ＩＣＣデバイスプロファイルを具える入力装置を利用して被写体の画像を得てＩＣＣデバイスプロファイルに入力し、且つ該入力装置のＩＣＣデバイスプロファイルをＩＣＣ色彩管理システムに組み込み、該ＩＣＣ色彩管理システム内において、該入力装置のＩＣＣデバイスプロファイルによって該被写体の画像をＣＩＥ  ＸＹＺ色度信号に転換し、更に該プリンタ装置のＩＣＣデバイスプロファイルによって該ＣＩＥ  ＸＹＺ色度信号を印刷信号に転換して該プリンタ装置に出力し、該印刷信号に基づいて画像をプリントアウトする。
【００１２】
請求項６に記載するプリンタ装置の出力画像の色彩管理方法は、請求項１における入力装置が、デジタルカメラか、もしくはスキャナ装置から選択される。
【００１３】
請求項７に記載するプリンタ装置の出力画像の色彩管理方法は、コンピュータシステムから、カラーブロック印刷信号をプリンタ装置に出力して、カラーブロックグラフをプリントアウトするステップと、
デジタルカメラを利用して、該カラーブロックグラフを撮影し、画像色彩信号を出力するステップと、
コンピュータシステムによって、該画像色彩信号と、該カラーブロック印刷信号とを計算し、該デジタルカメラに入力される色彩信号と、該プリンタ装置に出力する色彩信号との相対関係を得て、更に該コンピュータシステムの計算によって得られる相対関係に基づき、色彩相対関係プロファイルを生成し、該色彩相対関係プロファイルを色彩管理ソフトに組み込み、カラーマネジメントと色彩の校正処理を行うステップと、を含む。
【００１４】
請求項８に記載するプリンタ装置の出力画像の色彩管理方法は、請求項７におけるカラーブロック印刷信号が、ＲＧＢモードの信号か、もしくはＣＭＹＫモードの信号か、もしくはその他印刷機特有の信号を含む。
【００１５】
請求項９に記載するプリンタ装置の出力画像の色彩管理方法は、請求項７におけるデジタルカメラを利用して撮影するステップにおいて、該カラーブロックグラフに光線を均一に照射して撮影する。
【００１６】
請求項１０に記載するプリンタ装置の出力画像の色彩管理方法は、請求項７におけるカラーブロック印刷信号が予め設定された所定値であって、該プリンタ装置に入力して所定のカラーブロックグラフをプリントアウトする。
【００１７】
請求項１１に記載するプリンタ装置の出力画像の色彩管理方法は、請求項７におけるカラーマネジメントと色彩の校正処理を行うステップにおいて、該色彩相対関係プロファイルを利用して該デジタルカメラの撮影する画像を得て、該画像を印刷信号に転換して該プリンタ装置に出力し、該印刷信号に基づいて画像をプリントアウトする。
【発明の効果】
【００１８】
この発明によるプリンタ装置の出力画像の色彩管理方法は、高価なカラーメーターを用いることなく、極めて簡易な操作でプリンタ装置のデバイスプロファイルが得られ、更にプリンタ装置が出力する画像の色彩と、本来の入力された色彩とを一致させる効果が得られる。
【００１９】
また、この発明によるプリンタ装置の出力画像の色彩管理方法は、異なるメーカーのデジタルカメラとプリンタ装置に応用できるため実用性が高く、且つコストを節減できる効果が得られる。
【発明を実施するための最良の形態】
【００２０】
この発明は、プリンタ装置の出力画像の色彩管理方法を提供するものであって、コンピュータシステムからカラーブロック印刷信号をプリンタ装置に出力して、カラーブロックグラフをプリントアウトし、更にＩＣＣデバイスプロファイルを具えるデジタルカメラを利用して、該カラーブロックグラフを撮影し、画像色彩信号を出力し、且つ該コンピュータシステムによって該デジタルカメラのＩＣＣデバイスプロファイルに基づき、該画像色彩信号をＣＩＥ  ＸＹＺ色度信号に転換し、該ＣＩＥ  ＸＹＺ色度信号と該カラーブロック印刷信号とをコンピュータシステムで計算し、該プリンタ装置のデバイスプロファイルを得る。係るデバイスプロファイルをＩＣＣデバイスプロファイルと互換性を有する画像ソフトに組み込み、カラーマネジメントと色彩校正処理を行う。
【００２１】
該デジタルカメラが対応するＩＣＣデバイスプロファイルを具えない場合は、カラーブロックグラフを撮影した後、撮影した画像色彩信号と、カラーブロック印刷信号とをコンピュータシステムで直接計算し、該デジタルカメラに入力された色彩信号と、プリンタ装置に出力する色彩信号との相対関係を得て、該相対関係に基づき、色彩相対関係プロファイルを生成し、該色彩相対関係プロファイルに基づいて、カラーマネジメントと色彩校正の処理を行い、カラーメーターを使用することなく、簡易な操作で印刷装置のデバイスプロファイルを作成し、プリンタ装置が出力する画像の色彩と、本来の入力された色彩とを一致させるという目的を、実現した。
係るプリンタ装置の出力画像の色彩管理方法の特徴を詳述するために、具体的な実施例を挙げ、図面を参考にして以下に説明する。
【実施例１】
【００２２】
図１は、デジタルカメラを利用したプリンタ装置のデバイスプロファイルの生成方法を表わすブロック図である。図面によれば、コンピュータシステム（１０）から１セットのカラーブロック印刷信号（１２）を印刷装置に出力して、カラーブロックグラフ（１６）をプリントアウトする。該印刷装置は通常、プリンタ装置か、もしくは印刷機である。以下の実施例においては、図１に開示するプリンタ装置（１４）を例に挙げて説明する。また、該カラーブロック印刷信号（１２）は、予め所定値に設定され、プリンタ装置（１４）に出力して所定のカラーブロックグラフ（１６）をプリントアウトするために用いる。カラーブロック印刷信号（１２）は通常、ＲＧＢか、もしくはＣＭＹＫモードの信号である。すなわち、一般にプリンタ装置の設計は、メーカーによってＲＧＢ、及びＣＭＹＫの２種類の信号モードに大別される。ＲＧＢとは、すなわち赤（ＲＥＤ）、緑（ＧＲＥＥＮ）、青（ＢＬＵＥ）の頭文字を取ったものであり、光の三原色を表す。ＣＭＹＫは色材の三原色と呼ばれ、減光色情報を数値化したカラーモデルのひとつであって、青（ＣＹＡＮ）、赤（ＭＡＧＥＮＴＡ）、黄（ＹＥＬＬＯＷ）、及び黒を組み合わせることにより色を表現する。但し、「Ｋ」は黒を代表するのみならず、キーポイントとなる色彩を表す「Ｋｅｙ」の意味も含む。以下の実施例においては、ＲＧＢモードの信号を例に挙げて説明する。但し、この発明においては、ＲＧＢモードの信号か、もしくはＣＭＹＫモードの信号か、もしくはその他印刷機特有の信号のいずれにも応用することができる。
【００２３】
カラーブロックグラフ（１６）をプリントアウトした後、ＩＣＣデバイスプロファイル（２０）を具えるデジタルカメラ（１８）を利用して均一に光線を照射した該カラーブロックグラフ（１６）を撮影して、ＲＧＢ画像を得る。次いで、該ＲＧＢ画像をコンピュータシステム（１０）に出力して、画像色彩信号（３０）を得る。更にコンピュータシステム（１０）において、デジタルカメラ（１８）のＩＣＣデバイスプロファイル（２０）に基づき、画像色彩信号（３０）をＣＩＥ  ＸＹＺ色度信号（２２）に転換する。ＣＩＥは標準の色度座標であって、デバイスに関連するＲＧＢ色彩スペースをデバイスに関連のないＣＩＥ  ＸＹＺ色彩スペースに転換して、量化することを目的とする。
【００２４】
次いで、コンピュータシステム（１０）を利用してＣＩＥ  ＸＹＺ色度信号（２２）と、該ＲＧＢのカラーブロック印刷信号（１２）とを計算し、プリンタ装置の印刷装置ＩＣＣデバイスプロファイル（２４）を得る。次にプリンタ装置の印刷装置ＩＣＣデバイスプロファイル（２４）を、ＩＣＣに対して互換性を有する画像ソフトに組み込み、カラーマネジメントと色彩校正の処理を行う。
【００２５】
図２に、ＩＣＣ色彩管理システム（２６）によって行うカラーマネジメントのフローチャートを開示する。図面によれば、入力装置（２７）によって被写体（２８）を撮影し、ＲＧＢ画像を得る。該入力装置（２７）はデジタルカメラか、スキャナか、もしくはその他画像の入力装置であって、且つ入力装置（２７）自体は対応する入力装置ＩＣＣデバイスプロファイル（２９）を具える。
【００２６】
次いで、入力装置ＩＣＣデバイスプロファイル（２９）を、ＩＣＣ色彩管理システム（２６）に組み込み、該ＩＣＣ色彩管理システム（２６）内において、入力装置ＩＣＣデバイスプロファイル（２９）によって被写体（２８）のＲＧＢ画像を得る。更に、これをＣＩＥ  ＸＹＺ色度信号に転換し、印刷装置ＩＣＣデバイスプロファイル（２４）によってＣＩＥ  ＸＹＺ色度信号をＲＧＢ印刷信号に転換してプリンタ装置（１４）に出力する。この場合、該ＲＧＢ印刷信号によって画像をプリントアウトする。よって、プリンタ装置（１４）が出力する画像の色彩と、デジタルカメラ（１８）に入力された本来の色彩が一致する。
【００２７】
また、デジタルカメラ（１８）自体にＩＣＣデバイスプロファイル（２０）が具えられていない場合の方法を図３に開示する。すなわち、デジタルカメラ（１８）を利用して、デジタルカメラ（１８）とプリンタ装置との色彩相対関係プロファイル（３２）を生成させる方法である。係る方法は、図１に開示する方法に近似し、同様にコンピュータシステム（１０）からＲＧＢのカラーブロック印刷信号（１２）をプリンタ装置（１４）に出力し、カラーブロックグラフ（１６）をプリントアウトする。更に、デジタルカメラ（１８）を利用して均一に照射される光線下において、該カラーブロックグラフ（１６）を撮影し、ＲＧＢ色彩画像を得る。次いで、該ＲＧＢ色彩画像をコンピュータシステム（１０）に伝送して、画像色彩信号（３０）を得る。但し、この場合、コンピュータシステム（１０）は該ＲＧＢの画像色彩信号（３０）とＲＧＢのカラーブロック印刷信号（１２）とから直接計算を行い、デジタルカメラ（１８）に入力された色彩信号（ＲＧＢ）とプリンタ装置（１４）が出力する色彩信号（ＲＧＢ／ＣＭＹＫ）との間の相対関係を得る。係る相対関係に基づき、色彩相対関係プロファイル（３２）を生成する。次に、該色彩相対関係プロファイル（３２）を色彩管理ソフトに組み込み、カラーマネジメントと色彩校正処理を行う。
【００２８】
色彩相対関係プロファイル（３２）をカラーマネジメントシステム（３４）に組み込んで、該カラーマネジメントシステム（３４）によってカラーマネジメントを行う場合のステップを図４に開示する。図面によれば、デジタルカメラ（１８）を利用して被写体（２８）を撮影し、該被写体（２８）のＲＧＢ画像を得る。次いで、カラーマネジメントシステム（３４）を利用してＲＧＢ画像を得るとともに、該色彩相対関係プロファイル（３２）に基づいて、該ＲＧＢ画像をＲＧＢプリントアウト信号に転換して、プリンタ装置（１４）に出力し、該ＲＧＢプリントアウト信号に基づいて、画像をプリントアウトする。よって、プリンタ装置（１４）から出力される画像の色彩は、本来入力された色彩と一致する。
【００２９】
この発明は、デジタルカメラと、そのＩＣＣデバイスプロファイルを利用して、且つコンピュータシステムの計算によってプリンタ装置のＩＣＣデバイスプロファイルを生成するか、もしくはデジタルカメラとプリンタ装置を1つのシステムとし、更にコンピュータシステムによってデジタルカメラに入力された色彩信号と、プリンタ装置に出力する色彩信号との間の相対関係を計算し、色彩相対関係プロファイルを得て、カラーマネジメントと色彩校正の後続の処理を行う。よって、この発明は、高価なカラーメーターを用いることなく、極めて簡易な操作でプリンタ装置のデバイスプロファイルが得られ、更にプリンタ装置が出力する画像の色彩と、本来の入力された色彩とを一致させる効果が得られる。また、この発明は、異なるメーカーのデジタルカメラとプリンタ装置に応用でき、コストを節減するとともに、実用性が高く、色彩を正確に再生することができる。
【００３０】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３１】
【図１】この発明において、プリンタ装置のデバイスプロファイルを生成するステップを示した説明図である。
【図２】図１におけるＩＣＣ色彩管理システムを利用して色彩管理を行う方法を示したフローチャートである。
【図３】この発明において、デジタルカメラとプリンタ装置の色彩相対関係プロファイルを得る方法を示した説明図である。
【図４】図３において得られた色彩相対関係プロファイルを利用して色彩管理を行う方法を示したフローチャートである。
【符号の説明】
【００３２】
１０  コンピュータシステム
１２  カラーブロック印刷信号
１４  プリンタ装置
１６  カラーブロックグラフ
１８  デジタルカメラ
２０  ＩＣＣデバイスプロファイル
２２  ＣＩＥ  ＸＹＺ色度信号
２４  印刷装置ＩＣＣデバイスプロファイル
２６  ＩＣＣ色彩管理システム
２７  入力装置
２８  被写体
２９  入力装置ＩＣＣデバイスプロファイル
３０  画像色彩信号
３２  色彩相対関係プロファイル
３４  カラーマネジメントシステム
【図１】
2004159332.tif 000003
【図２】
2004159332.tif 000004
【図３】
2004159332.tif 000005
【図４】
2004159332.tif 000006